(57)【要約】【課題】取付け高さにかかわらず鎖樋を直管状竪樋部材に確実に吊り下げ可能にして良好な仕上がりを確保し、直管状竪樋部材から鎖樋を吊り下げて成る竪樋を実現化する。【解決手段】直管状竪樋部材３に鎖樋４を吊り下げて成る竪樋１である。直管状竪樋部材３と鎖樋４との間に筒状の連結継手１２を設ける。連結継手１２の上端部に設けた上部嵌込筒部１３を直管状竪樋部材３の下端に嵌合することで、直管状竪樋部材３の下側に連結継手１２を取り付ける。連結継手１２の下端部に設けた鎖樋取付部１４に鎖樋４の上端部を取り付けることで、連結継手１２の下側に鎖樋４を取り付ける。【選択図】図１
2008267082.tif 000002
【特許請求の範囲】
【請求項１】
直管状竪樋部材に鎖樋を吊り下げて成る竪樋であり、直管状竪樋部材と鎖樋との間に筒状の連結継手を設け、連結継手の上端部に設けた上部嵌込筒部を直管状竪樋部材の下端に嵌合することで、直管状竪樋部材の下側に連結継手を取り付け、連結継手の下端部に設けた鎖樋取付部に鎖樋の上端部を取り付けることで、連結継手の下側に鎖樋を取り付けたことを特徴とする竪樋。
【請求項２】
連結継手の鎖樋取付部を筒状に形成すると共に、鎖樋の上端部に筒状の接続部を設け、鎖樋取付部と接続部とにそれぞれねじ部を刻設し、鎖樋取付部と接続部とを嵌合させると共に各ねじ部同士を締結させることで、鎖樋と連結継手とを着脱自在に取り付けたことを特徴とする請求項１記載の竪樋。
【請求項３】
鎖樋を複数の鎖ピース部材を上下に連結させて構成し、各鎖ピース部材の上端にねじ部を刻設した上部嵌め込み筒部を設けると共に各鎖ピース部材の下端にねじ部を刻設した下部嵌め込み筒部を設け、上部嵌め込み筒部と下部嵌め込み筒部とを嵌合させると共に各ねじ部同士を締結させることで上下の鎖ピース部材を着脱自在に連結し、この鎖樋の最上端に位置する鎖ピース部材のねじ部を有する上部嵌め込み筒部で、上記鎖樋の上端部におけるねじ部を有した接続部を構成したことを特徴とする請求項２記載の竪樋。
【発明の詳細な説明】
【技術分野】
【０００１】
本発明は、竪樋に関するものである。
【背景技術】
【０００２】
一般に、雨水を流下させる直管状の竪樋は、直管状竪樋部材を樋支持具を介して建物壁に沿わせて固定されるのであるが、樋支持具に手や足を掛けて不動の状態にある直管状竪樋部材を伝って登ることが可能であり、防犯上の問題が指摘されている。
【０００３】
また、雨水を流下させる樋としては、複数の鎖ピース部材を撓み自在に上下に連結させて軒先から吊り下げて配設される鎖樋も知られている（たとえば特許文献１参照）。この鎖樋は、雨水が鎖ピース部材を伝って流下する様を見て楽しむために設置されるものであって、鎖ピース部材を伝う雨水の流下を阻害しないよう建物壁に固定させないものであるから、上記直管状の竪樋のように樋を伝って登ることなどできず防犯面に優れるという利点を有する。しかしながら、鎖樋は風に煽られると撓んで大きく振れてしまうため、鎖樋を伝って流下する雨水が飛散するという問題があった。
【特許文献１】実開平５−７８２５号公報
【発明の開示】
【発明が解決しようとする課題】
【０００４】
本発明は上記の点に鑑みてなされたものであり、その目的とするところは、風による振れを抑制して鎖樋を直管状竪樋部材と共に竪樋を構成して、鎖樋での雨水の飛散を抑制しつつ竪樋に鎖樋の有する良好な防犯性能を備えさせ、しかも、直管状竪樋部材に鎖樋を吊り下げ支持させる際に、取付け高さにかかわらず鎖樋を直管状竪樋部材に確実に吊り下げ可能にして良好な仕上がりを確保できる竪樋を提供することを課題とするものである。
【課題を解決するための手段】
【０００５】
上記課題を解決するために請求項１に係る竪樋にあっては、直管状竪樋部材３に鎖樋４を吊り下げて成る竪樋１であり、直管状竪樋部材３と鎖樋４との間に筒状の連結継手１２を設け、連結継手１２の上端部に設けた上部嵌込筒部１３を直管状竪樋部材３の下端に嵌合することで、直管状竪樋部材３の下側に連結継手１２を取り付け、連結継手１２の下端部に設けた鎖樋取付部１４に鎖樋４の上端部を取り付けることで、連結継手１２の下側に鎖樋４を取り付けたことを特徴とする。
【０００６】
これによると、直管状竪樋部材３に鎖樋４を吊り下げて竪樋１を構成したので、この鎖樋４は軒先から吊り下げて配設される一般の鎖樋に比べてその長さは充分に短いものであり、風に煽られてもその振れ幅は小さくなるのであるから、風による振れを抑制できたものであり、したがって鎖樋４を伝って流下する雨水の飛散を防止できると共に、この竪樋１に鎖樋４の有する良好な防犯性能を備えさせることができる。しかも、直管状竪樋部材３に鎖樋４を吊り下げ支持させる際に、直管状竪樋部材３への鎖樋４の取り付けに用いる連結継手１２を、上端部に直管状竪樋部材３の下端に嵌合させる上部嵌込筒部１３を設けると共に、下端部に鎖樋４の上端部を取り付ける鎖樋取付部１４を設けて構成させたので、任意高さで切断した直管状竪樋部材３において変わらぬ筒状の切断面形状に対応させて上部嵌込筒部１３を直管状竪樋部材３の下端に嵌合させて連結継手１２を直管状竪樋部材３の下側に取り付けることができ、そしてこの連結継手１２の鎖樋取付部１４に対して鎖樋４の上端部を取り付けて連結継手１２に鎖樋４を吊り支持させることができるのであり、つまり、鎖樋４の取付け高さに応じて直管状竪樋部材３を任意長さで切断してもその下端に連結継手１２を確実に取り付けてこの連結継手１２に鎖樋４を吊り支持させることができるのであって、直管状竪樋部材３に鎖樋４を吊り下げて成る竪樋１に対して良好な仕上がりを確保することができる。
【０００７】
また、請求項２に係る竪樋にあっては、請求項１において、連結継手１２の鎖樋取付部１４を筒状に形成すると共に、鎖樋４の上端部に筒状の接続部４ａを設け、鎖樋取付部１４と接続部４ａとにそれぞれねじ部１５，１０を刻設し、鎖樋取付部１４と接続部４ａとを嵌合させると共に各ねじ部１５，１０同士を締結させることで、鎖樋４と連結継手１２とを着脱自在に取り付けたことを特徴とする。
【０００８】
これによると、連結継手１２の筒形状を利用して形成できる筒状の鎖樋取付部１４と同じ筒状にした接続部４ａを鎖樋４の上端部に設けたので、鎖樋取付部１４と接続部４ａとの嵌合構造によって連結継手１２に鎖樋４を確実に取り付けることができるのであり、ここで、上記取り付けた連結継手１２と鎖樋４とは鎖樋取付部１４及び接続部４ａに設けたねじ部１５，１０のねじ締結構造にて着脱自在にされたので、メンテナンス時などに連結継手１２から鎖樋４を容易に取外すことができて便利である。
【０００９】
また、請求項３に係る竪樋にあっては、請求項２において、鎖樋４を複数の鎖ピース部材５を上下に連結させて構成し、各鎖ピース部材５の上端にねじ部１０を刻設した上部嵌め込み筒部７を設けると共に各鎖ピース部材５の下端にねじ部１０を刻設した下部嵌め込み筒部８を設け、上部嵌め込み筒部７と下部嵌め込み筒部８とを嵌合させると共に各ねじ部１０同士を締結させることで上下の鎖ピース部材５を着脱自在に連結し、この鎖樋４の最上端に位置する鎖ピース部材５のねじ部１０を有する上部嵌め込み筒部７で、上記鎖樋４の上端部におけるねじ部１０を有した接続部４ａを構成したことを特徴とする。
【００１０】
これによると、鎖樋４を構成する鎖ピース部材５同士がねじ部１０のねじ締結構造によって着脱自在に連結されたので、メンテナンス時などに鎖ピース部材５を外して鎖樋４を解体できて便利であり、また、上記鎖ピース部材５同士の連結に使用するねじ部１０を有した上部嵌め込み筒部７をねじ部１０を有した接続部４ａとして鎖樋４の連結継手１２への取り付けに使用することができ、つまり部材の兼用を図ることができて構成の簡略化を図ることができる。
【発明の効果】
【００１１】
本発明にあっては、風による振れを抑制して鎖樋を直管状竪樋部材と共に竪樋を構成して、鎖樋での雨水の飛散を抑制しつつ竪樋に鎖樋の有する良好な防犯性能を備えさせ、しかも、直管状竪樋部材に鎖樋を吊り下げ支持させる際に、取付け高さにかかわらず鎖樋を直管状竪樋部材に確実に吊り下げ可能にして良好な仕上がりを確保できる、という利点を有するものである。
【発明を実施するための最良の形態】
【００１２】
以下、本発明を添付図面に示す実施形態に基いて説明する。
【００１３】
本例の竪樋１は、図１（ａ）のように建物壁２に沿設されたものであって、その上部域が樋支持具１７を介して建物壁２に固定させた直管状竪樋部材３で構成されると共に、下部域が直管状竪樋部材３から吊り下げた鎖樋４で構成されている。ここで、鎖樋４は複数の鎖ピース部材５を上下に連結させて吊り支持されている。
【００１４】
本例の鎖ピース部材５は、図２のように、上下に開口せる円筒状に形成されている。この円筒状の鎖ピース部材５にあってその上端部は上部嵌め込み筒部７を構成している。また、鎖ピース部材５の下端部には、下方の鎖ピース部材５の上部嵌め込み筒部７に嵌合させて上下の鎖ピース部材５を直管状に連結させるための下部嵌め込み筒部８が設けられている。この下部嵌め込み筒部８は、鎖ピース部材５の内部を流下する雨水の外方への漏れを防止するべく上部嵌め込み筒部７に内嵌めするために、その外径が上部嵌め込み筒部７の内径と略同様になるように径を小さくした小径部にされている。すなわち、本例の鎖樋４は、鎖ピース部材５同士をその上部嵌め込み筒部７と下部嵌め込み筒部８との嵌合構造でほとんど動かないように連結させて形成されているから、風に煽られた鎖樋４の振れの抑制効果が向上されている。
【００１５】
ここで、下方の鎖ピース部材５は上方の鎖ピース部材５に吊り支持されるのであるから、上部嵌め込み筒部７と下部嵌め込み筒部８との間には抜け落ち防止構造が設けられている。抜け落ち防止構造として本例ではねじ締結構造が採用されている。つまり、上部嵌め込み筒部７と下部嵌め込み筒部８とにねじ部１０を刻設し、各ねじ部１０同士を締結させて上下の鎖ピース部材５を着脱自在に連結したものである。詳しくは、上部嵌め込み筒部７のねじ部１０は内面に刻設した雌ねじ部１０ａであり、下部嵌め込み筒部８のねじ部１０は外面に刻設した雄ねじ部１０ｂである。しかして、上部嵌め込み筒部７の内部に下部嵌め込み筒部８を挿入する際には鎖ピース部材５を軸周りに回転させながら行うのであり、これにより図１（ｂ）のように、上部嵌め込み筒部７の雌ねじ部１０ａに下部嵌め込み筒部８の雄ねじ部１０ｂが螺着され、下方の鎖ピース部材５が上方の鎖ピース部材５から抜け落ちないように着脱自在に吊り支持されるようになっている。鎖ピース部材５が着脱自在に連結されたことによると、鎖樋４のメンテナンス時などに鎖ピース部材５を取外すことができて便利である。
【００１６】
また、円筒状の鎖ピース部材５は、その内部を雨水が流下していくのであるが、一般の鎖樋４のように雨水の流下する様を外方より見て楽しませるための窓部６が備えられている。この窓部６は、鎖ピース部材５の下部嵌め込み筒部８に隣接した上位置に設けられており、周方向に等間隔に４本の立リブ部１１を残して筒側面に開設した開口６ａによって構成されている。ここで、鎖ピース部材５の内部における窓部６に隣接した上位置には、内部を流れる雨水を集めて流下させるための絞り部９が鎖ピース部材５の内部に設けられている。この絞り部９は鎖ピース部材５の筒側面から内径を絞るように内方に突出形成された絞り筒部にて構成されており、この絞り筒部は円筒状の鎖ピース部材５の筒側面５ａにてその外方が覆われていて鎖樋４の外観には現出しないようにされている。なお、立リブ部１１は上記絞り筒部の外方を覆う部位である円筒状の鎖ピース部材５の筒側面５ａから下方に垂設されている。窓部６から見える雨水は絞り部９によって円筒状の鎖ピース部材５の中央部分を流下するようになるのであり、この雨水が鎖ピース部材５の内部から窓部６を通って外方に飛散する恐れを回避している。
【００１７】
本例の竪樋１における鎖樋４は上記円筒状の鎖ピース部材５を連結して成るのであって円管が連続するような外観となる。ここで、本例では、この円筒状の鎖ピース部材５の外径寸法は、鎖樋４を吊り下げ支持する円筒状の直管状竪樋部材３の外径寸法と略同様に形成されており、しかして、上部域を直管状竪樋部材３で構成すると共に下部域を鎖樋４で構成して成る本例の竪樋１には図１（ａ）のように円管が連続するような統一感のある良好な外観が現出されることとなっている。
【００１８】
ここで、本例の竪樋１において、上記の鎖ピース部材５で構成された鎖樋４は直管状竪樋部材３に吊り下げ支持されるのであるが、この直管状竪樋部材３への取り付けは図１（ｂ）のように上下に開口した円筒状の連結継手１２を介して行われている。
【００１９】
連結継手１２の上端部には円筒状の連結継手１２の形状を利用して形成された上部嵌込筒部１３が設けられ、この上部嵌込筒部１３を直管状竪樋部材３の下端に嵌合することで直管状竪樋部材３の下側に取り付けられる。本例では連結継手１２の上部嵌込筒部１３は直管状竪樋部材３の下端に内嵌めされ、パッキン等の防水処理を施すと共に接着剤にて接着されている。なお、鎖樋４の取り付け位置となる直管状竪樋部材３の下端の地面からの高さ位置は鎖樋４の構成長さに応じて異なるのであって、これは直管状竪樋部材３を任意長さ位置で切断することで対応されるのであるが、直管状竪樋部材３の切断面は長さ方向の切断位置にかかわらず一定の円筒形状であるから、上部嵌込筒部１３は任意の長さの直管状竪樋部材３の下端にも確実に嵌合させることが可能であって、連結継手１２は直管状竪樋部材３の下側に確実に取り付けることが可能とされている。
【００２０】
また、連結継手１２の下端部には鎖樋４の上端に設けた接続部４ａを取り付け可能にする鎖樋取付部１４が設けられている。この鎖樋取付部１４は鎖樋４の上端に設けた任意形状の接続部４ａに対応させて様々な形状を採用することができるが、本例の鎖樋取付部１４は円筒状の連結継手１２の形状を利用して円筒状に形成され、鎖樋４の上端に設けた接続部４ａを構成する鎖樋４の最上位置の鎖ピース部材５の上部嵌め込み筒部７に対して内嵌めされて連結可能にされており、このようにして連結継手１２の下側に鎖樋４を取り付け可能にしている。なお、鎖樋４は連結継手１２に吊り支持されるから、連結継手１２の鎖樋取付部１４と鎖樋４の接続部４ａとの間には抜け落ち防止手段が設けられている。本例の抜け落ち防止手段は、先の鎖ピース部材５間の抜け落ち防止構造を援用する、ねじ締結構造が採用されている。すなわち本例では、鎖樋４の接続部４ａを構成する鎖ピース部材５の上部嵌め込み筒部７には雌ねじ部１０ａが設けられており、連結継手１２の鎖樋取付部１４には上記雌ねじ部１０ａに螺着されるねじ部１５（雄ねじ部）が設けられている。このように鎖樋４と連結継手１２との連結構造（抜け落ち防止手段）に、鎖樋４を構成する鎖ピース部材５間の連結構造（抜け落ち防止構造）を援用したことで、部材の兼用を図ることができて構成の簡略化が図られている。
【００２１】
具体的に、本例の円筒状の連結継手１２は、その上下中央部に直管状竪樋部材３や筒状の鎖樋４の外径と略同様の外径寸法を有した大径部１２ａが設けられ、上下中央部に上下に隣接する上部と下部とに大径部１２ａに比べて外径を小さくする小径部１２ｂ，１２ｃがそれぞれ段設されている。そして、上部の小径部１２ｂにて上部嵌込筒部１３が構成され、下部の小径部１２ｃにて鎖樋取付部１４が構成されている。なお、下部の小径部１２ｃの外面にはねじ部１５である雄ねじ部が刻設されている。各小径部１２ｂ，１２ｃと大径部１２ａとの間の段状端面１２ａ１は、小径部１２ｂ，１２ｃに外嵌される直管状竪樋部材３や鎖樋４の下端面や上端面に当接される当接面となる。しかして、連結継手１２を介して直管状竪樋部材３に鎖樋４を連結させた外観には、直管状竪樋部材３と鎖樋４との間に連結継手１２の大径部１２ａが介在するのであって、外径が略同様の直管状竪樋部材３と鎖樋４と連結継手１２の大径部１２ａとが面一状に連続するような良好な外観が現出されるようになっている。
【００２２】
このように直管状竪樋部材３への鎖樋４の取り付けに用いる連結継手１２は、上端部に直管状竪樋部材３の下端に嵌合させる上部嵌込筒部１３を設けると共に、下端部に鎖樋４の上端部を取り付ける鎖樋取付部１４を設けて構成されたので、任意高さで切断した直管状竪樋部材３において変わらぬ筒状の切断面形状に対応させて上部嵌込筒部１３を直管状竪樋部材３の下端に嵌合させて連結継手１２を直管状竪樋部材３の下側に取り付けることができ、そしてこの連結継手１２の鎖樋取付部１４に対して鎖樋４の上端部を取り付けて連結継手１２に鎖樋４を吊り支持させることができるのである。つまり、鎖樋４の取付け高さに応じて直管状竪樋部材３を任意長さで切断してもその下端に連結継手１２を確実に取り付けてこの連結継手１２に鎖樋４を吊り支持させることができるのであって、直管状竪樋部材３に鎖樋４を吊り下げて成る竪樋１に対して良好な仕上がりを確保することができたのである。すなわち、本例の竪樋１のような直管状竪樋部材３から鎖樋４を吊り下げて成る竪樋１を一定の品質を確保して実現できたものである。
【００２３】
ところで、本例の竪樋１にあっては、その上部域が樋支持具１７を介して建物壁２に固定させた直管状竪樋部材３で構成されると共に、下部域が直管状竪樋部材３から吊り下げた鎖樋４で構成されており、建物壁２に固定しない鎖樋４は伝って登ることは容易ではないことから、この鎖樋４による防犯上の利点を備えることができたものである。なお、竪樋１の防犯性能を向上させるため、鎖樋４が一定の荷重により破断されるようにすることも好ましい。たとえば後述の荷重の集中し易い立リブ部１３や鎖ピース部材５同士の連結構造や鎖樋４の連結継手１２への連結構造などを耐荷重性を考慮して設計することで、容易に対応することができる。
【００２４】
ここで、本例の竪樋１は建物壁２に沿設されたものであるが、建物壁２に固定しない鎖樋４が風に煽られた際の振れの抑制が図られていて鎖樋４が建物壁２にぶつかる恐れが低減されている。つまり、上述したように鎖樋４を構成する鎖ピース部材５の連結が、上部嵌め込み筒部７と下部嵌め込み筒部８との嵌合構造でほぼ動かないようにして行われており、鎖樋４自身の構造で鎖樋４の振れの抑制が図られている。また、竪樋１の下部域のみを構成した建物壁２に固定しない鎖樋４は、軒先から吊り下げて配設される鎖樋４に比べてその構成長さは充分に短いものであり、風に煽られた際の振れの抑制効果を向上させている。このように風に煽られた鎖樋４の振れの抑制が図られたため、建物壁２に沿設された竪樋１の一部を支障なく鎖樋４で構成させることができたものである。
【００２５】
また、本例の竪樋１の下端は、図１（ａ）のように、地面から突設された排水管（図示せず）に被設された筒状の排水管カバー１６に挿入してあり、つまり、本例の竪樋１は排水管に接続されて竪樋１を流下した雨水が排水管に滞りなく排水可能にされていて、竪樋１の近傍の地面が流下した雨水で溢れてしまうことの回避が図られている。本例の竪樋１はその下部域が鎖樋４で構成されており、吊り支持された鎖樋４の下端が排水管に接続されているので、固定されないまでも排水管や排水管カバー１６によって鎖樋４の下端を規制して鎖樋４の振れの抑制効果の向上が図られている。無論、排水管カバー１６を排水管に接着剤などで固着させると、鎖樋４の振れの抑制効果の更なる向上を図ることができる。
【００２６】
ここで、下部域を鎖樋４で構成した竪樋１の下端を排水管に接続させる構造として、排水管に下部を挿入した筒状の排水管カバー１６を被設し、鎖樋４の下端部を排水管カバー１６の上部に嵌合させると共に、この嵌合深さを調節して排水管カバー１６の上部と鎖樋４の下端部を取り付けるようにされている。すなわち、鎖樋４の下端部は最下位置の鎖ピース部材５の下部嵌め込み筒部８で構成されるのであり、この下部嵌め込み筒部８を排水管カバー１６の上部に取付手段によって嵌合深さを調節して取り付けるのである。嵌合深さを調節する本例の取付手段としては、部材の兼用による構成の簡略化を図って、鎖樋４を構成する鎖ピース部材５間の連結構造（抜け落ち防止構造）を援用させている。すなわち、排水管カバー１６の上部に鎖ピース部材５の雄ねじ部１０ｂに結合する雌ねじ部（図示せず）を設けて取付手段にねじ締結構造が採用されている。吊り支持された鎖樋４の下端を排水管カバー１６に取り付ける場合には鎖樋４を撓ませないように行う必要があるが、嵌合深さを調節する取付手段を介してこれを行わせることで、鎖樋４の排水管への接続を撓みなく且つ収まり良く行わせることが可能にされているのである。
【００２７】
図３には本発明の実施の形態の他例を示す。この例の鎖ピース部材５は鎖ピース部材５間の連結構造（抜け落ち防止構造）として係止構造を採用したものである。つまり、図３（ａ）のように、下部嵌め込み筒部８の外面には外部に弾性的に突出した係止爪部１８が形成されており、上部嵌め込み筒部７の内面には上端から至る導入溝１９が凹設されると共にその下端に更に深く凹設された係止凹部２０が形成されている。なお、本例では係止爪部１８や、導入溝１９及び係止凹部２０は各嵌め込み筒部７，８における周方向の等間隔に複数個所（４箇所）設けられている。しかして、上部嵌め込み筒部７の内部に下部嵌め込み筒部８を挿入した際には、図３（ｂ）のように、係止爪部１８が導入溝１９に沿うようにガイドされて係止凹部２０に引っ掛け係止されることで、上部嵌め込み筒部７と下部嵌め込み筒部８とが強固に嵌合され、下方の鎖ピース部材５が上方の鎖ピース部材５から抜け落ちないように着脱自在に吊り支持されるようになっている。なお、この例の鎖ピース部材５で成る鎖樋４によって図１（ａ）のように竪樋１の下部域を構成させた場合、鎖樋４と連結継手１２との連結構造（抜け落ち防止手段）に上記係止構造を援用させて、部材の兼用による構成の簡略化を図ってもよいのは言うまでもない。
【図面の簡単な説明】
【００２８】
【図１】本発明の実施の形態の例の竪樋であり、（ａ）は側面図であり、（ｂ）は（ａ）のＡ部の断面図である。
【図２】同上の鎖樋を構成する鎖ピース部材であり、（ａ）は側面図であり、（ｂ）は上面図であり、（ｃ）は（ａ）のＢ−Ｂ線断面図である。
【図３】本発明の実施の形態の他例の竪樋であり、（ａ）は鎖樋を構成する鎖ピース部材の側断面図であり、（ｂ）は鎖樋の要部の側断面図である。
【符号の説明】
【００２９】
１  竪樋
２  建物壁
３  直管状竪樋部材
４  鎖樋
４ａ  接続部
５  鎖ピース部材
６  窓部
７  上部嵌め込み筒部
８  下部嵌め込み筒部
９  絞り部
１０  ねじ部
１２  連結継手
１３  上部嵌込筒部
１４  鎖樋取付部
１５  ねじ部
【図１】
2008267082.tif 000003
【図２】
2008267082.tif 000004
【図３】
2008267082.tif 000005